(57)【要約】【課題】既設上枠に新設上枠を取り付けるベース材を、新設上枠に対して屋内側から容易に取り付けることができる改装サッシを提供すること。【解決手段】既設上枠１１０の内周側に取り付けられるベース材１３０と、既設上枠１１０の内周側を覆うようにベース材１３０に取り付けられる新設上枠１２０と、を備える改装サッシ１であって、既設上枠１１０は、下方に向けて立設される立壁部１１１ａ、１１１ｂを有し、ベース材１３０は、立壁部に取り付けられる取付け部材１３２を有する。取付け部材１３２は、屋内側挟持片１３２ｆ及び屋外側挟持片１３２ｇを有し、立壁部と屋内側挟持片１３２ｆ又は屋外側挟持片１３２ｇとの間から挿入された取付けねじ１３３ａと、屋内側挟持片１３２ｆ又は屋外側挟持片１３２ｇと、の間で立壁部が挟持されることにより、立壁部１１１ａ、１１１ｂに取り付けられている、【選択図】図４
2019152003.tif 000002
【特許請求の範囲】
【請求項１】
建物の開口部に取り付けられた既設上枠の内周側に取り付けられるベース材と、前記既設上枠の内周側を覆うように前記ベース材に取り付けられる新設上枠と、を備える改装サッシであって、
前記既設上枠は、下方に向けて立設される立壁部を有し、
前記ベース材は、前記立壁部に取り付けられる取付け部材を有し、
前記取付け部材は、前記立壁部を屋内側及び屋外側から挟むように配置される屋内側挟持片及び屋外側挟持片を有し、前記立壁部と前記屋内側挟持片又は屋外側挟持片との間から前記立壁部の立設方向に沿って挿入された取付けねじと、前記屋外側挟持片又は前記屋内側挟持片と、の間で前記立壁部が挟持されることにより、前記立壁部に取り付けられている、改装サッシ。
【請求項２】
前記立壁部は、既設障子用のガイドレールである、請求項１に記載の改装サッシ。
【発明の詳細な説明】
【技術分野】
【０００１】
本発明は、建物に設けられている既設窓を改装するための改装サッシに関する。
【背景技術】
【０００２】
従来、既設の窓を改装する方法として、カバー工法が採用されている。このカバー工法によって改装された改装サッシでは、建物の開口部に取り付けられた既設枠に対して、その内周側を覆うように新設枠が取り付けられる（例えば、特許文献１参照）。
【先行技術文献】
【特許文献】
【０００３】
【特許文献１】特開２０１６−９４７７１号公報
【発明の概要】
【発明が解決しようとする課題】
【０００４】
改装サッシには、既設枠の内周側に、新設枠を取り付ける際の取付け面を形成するベース材が取り付けられるものがある。ベース材は、既設上枠、既設下枠及び既設縦枠にそれぞれ取り付けられる。ベース材が既設上枠及び既設下枠に取り付けられる場合は、ベース材は、既設上枠及び既設下枠に元々設けられているガイドレール等の立壁部を利用して固定される。
【０００５】
ベース材を、既設上枠の立壁部に対して、屋内側から取付けねじを用いて固定する際は、図１０に示すように、ベース材６００の裏面に設けられる取付け部材６０２を立壁部１１１ａ、１１１ｂに装着し、これら取付け部材６０２及び立壁部１１１ａ、１１１ｂを貫通するように、取付けねじ６０１ａ、６０１ｂを屋内側から斜めにねじ込む必要がある。このとき、固定部位が屋内側に近接した位置にある場合、特に屋内側の取付けねじ６０１ｂが、既設上枠１１０の屋内側に配置される額縁部材５００等と干渉してしまい、取り付けが困難である問題があった。
【０００６】
このような問題は、既設枠が建物の開口部の屋外側に取り付けられる外付けタイプである場合に特に顕著に見られる。外付けタイプにおいて、ベース材を取り付けるための既設上枠の立壁部の突出高さは、立壁部よりも屋内側に配置される額縁部材等よりも低いためである。また、外付けタイプではない場合でも、既設上枠の立壁部が、新設枠の取り付けに際して短く切断加工される場合には、上記同様の問題が発生し得る。
【０００７】
そこで、本発明は、既設上枠に新設上枠を取り付けるためのベース材を、既設上枠に対して屋内側から容易に取り付けることができる改装サッシを提供することを目的とする。
【課題を解決するための手段】
【０００８】
（１）  本発明に係る改装サッシは、建物の開口部（例えば、後述の開口部２）に取り付けられた既設上枠（例えば、後述の既設上枠１１０）の内周側に取り付けられるベース材（例えば、後述の上枠ベース材１３０）と、前記既設上枠の内周側を覆うように前記ベース材に取り付けられる新設上枠（例えば、後述の新設上枠１２０）と、を備える改装サッシ（例えば、後述の改装サッシ１）であって、前記既設上枠は、下方に向けて立設される立壁部（例えば、後述のガイドレール１１１ａ、１１１ｂ）を有し、前記ベース材は、前記立壁部に取り付けられる取付け部材（例えば、後述の取付け部材１３２）を有し、前記取付け部材は、前記立壁部を屋内側及び屋外側から挟むように配置される屋内側挟持片（例えば、後述の屋内側挟持片１３２ｆ）及び屋外側挟持片（例えば、後述の屋外側挟持片１３２ｇ）を有し、前記立壁部と前記屋内側挟持片又は屋外側挟持片との間から前記立壁部の立設方向に沿って挿入された取付けねじ（例えば、後述の取付けねじ１３３ａ）と、前記屋外側挟持片又は前記屋内側挟持片と、の間で前記立壁部が挟持されることにより、前記立壁部に取り付けられている。
【０００９】
（２）  （１）に記載の改装サッシにおいて、前記立壁部は、既設障子用のガイドレール（例えば、後述のガイドレール１１１ａ、１１１ｂ）であることが好ましい。
【発明の効果】
【００１０】
本発明は、既設上枠に新設上枠を取り付けるためのベース材を、既設上枠に対して屋内側から容易に取り付けることができる改装サッシを提供することができる。
【図面の簡単な説明】
【００１１】
【図１】本発明の一実施形態に係る改装サッシを屋外側から見た正面図である。
【図２】図１に示す改装サッシの縦断面図である。
【図３】図１に示す改装サッシの横断面図である。
【図４】図２に示す改装サッシの上枠部分の拡大縦断面図である。
【図５】図２に示す改装サッシの下枠部分の拡大縦断面図である。
【図６】図３に示す改装サッシの一方の縦枠部分の拡大横断面図である。
【図７】図３に示す改装サッシの他方の縦枠部分の拡大横断面図である。
【図８】上枠ベース材を下から見上げた状態を示す底面図である。
【図９】図８のＡ−Ａ線に沿って上枠ベース材を分解して示す断面図である。
【図１０】従来の上枠ベース材の取付け構造を説明する図である。
【発明を実施するための形態】
【００１２】
以下、本発明の一実施形態について、図面を参照して詳しく説明する。
図１は、本発明の一実施形態に係る改装サッシを屋外側から見た正面図であり、図２は、図１に示す改装サッシの縦断面図であり、図３は、図１に示す改装サッシの横断面図である。図４は、図２に示す改装サッシの上枠部分の拡大縦断面図であり、図５は、図２に示す改装サッシの下枠部分の拡大縦断面図である。図６は、図３に示す改装サッシの一方の縦枠部分の拡大横断面図であり、図７は、図３に示す改装サッシの他方の縦枠部分の拡大横断面図である。
【００１３】
図１〜図３に示すように、本実施形態に示す改装サッシ１は、建物の開口部２に納められる引違い窓タイプの改装サッシである。改装サッシ１は、上枠１００と、下枠２００と、左右一対の縦枠３００、４００により矩形に枠組みされた窓枠１０と、この窓枠１０にスライド可能に納められる引違い用の２枚の障子２０、２０と、障子２０、２０の屋外側において、窓枠１０にスライド可能に納められる１枚の網戸３０と、を備える。建物の開口部２の内周面には四周に亘って額縁部材５００が設けられている。本実施形態に示す窓枠１０は、開口部２の屋外側に取り付けられる外付けタイプの窓枠である。
【００１４】
なお、本実施形態では、上枠１００側の額縁部材５００は既設窓の鴨居５０１により構成される。下枠２００側の額縁部材５００は既設窓の敷居５０２により構成される。鴨居５０１及び敷居５０２の溝部は、予め木材等によって埋められている。縦枠３００、４００側の額縁部材５００は、それぞれ既設窓の縦側に配置される柱材５０３、５０４により構成される。
【００１５】
各障子２０は、図４、図５に示すように、屋外側及び屋内側に配置される２枚のガラス２１、２１と、これら２枚のガラス２１、２１で挟持されたスペーサ２２と、を備える複層ガラスからなり、優れた断熱性を有する。
【００１６】
図２に示すように、上枠１００は、既設上枠１１０と、新設上枠１２０と、上枠ベース材１３０と、を含んで構成される。
【００１７】
既設上枠１１０は、建物の開口部の上側部に取り付けられ、下方に向けて立設される立壁部である既設障子用のガイドレール１１１ａ、１１１ｂと、ガイドレール１１１ａ、１１１ｂよりも屋外側の端部に、下方に向けて延びる屋外側壁部１１２と、を有する。既設上枠１１０の屋内側は額縁部材５００に固定されている。
【００１８】
新設上枠１２０は、上枠ベース材１３０を間に挟んで、既設上枠１１０の内周側に取り付けられる。図４に示すように、新設上枠１２０は、下方に向けて立設される引違いの２枚の障子２０、２０用のガイドレール１２１ａ、１２１ｂと、網戸３０用のガイドレール１２１ｃとを有する。ガイドレール１２１ａ、１２１ｂには、障子２０の上端部が係合している。ガイドレール１２１ｃには、網戸３０の上端部が係合している。
【００１９】
新設上枠１２０は、屋外側の端部に、上方に向けて延びる屋外側壁部１２２を有する。屋外側壁部１２２は、既設上枠１１０の屋外側壁部１１２と略平行に延びており、屋外側壁部１１２の屋外側を覆い隠すように配置されている。
【００２０】
新設上枠１２０は、上枠ベース材１３０との間にスペーサ部材１４０を介して、取付けねじ１２３ａ、１２３ｂによって上枠ベース材１３０に固定される。屋外側に配置される取付けねじ１２３ａは、新設上枠１２０からスペーサ部材１４０及び上枠ベース材１３０を貫通しているが、既設上枠１１０は貫通していない。屋内側に配置される取付けねじ１２３ｂは、新設上枠１２０からスペーサ部材１４０及び上枠ベース材１３０を貫通し、額縁部材５００の内周面５００ａにねじ込まれている。
【００２１】
上枠ベース材１３０は、既設上枠１１０の内周側に配置され、既設上枠１１０と新設上枠１２０との間に介在される。上枠ベース材１３０は、既設上枠１１０の長さに比べて十分に短い長さに形成された金属製の板状部材からなり、上枠ベース材１３０の裏面に設けられる取付け部材１３２によって、既設上枠１１０のガイドレール１１１ａ、１１１ｂを利用して取り付けられる。上枠ベース材１３０は、既設上枠１１０の長さ方向に間隔をおいて複数取り付けられる。これにより、各上枠ベース材１３０は、既設上枠１１０の内周側（下側）に、新設上枠１２０のための略平坦な取付け面を形成する。新設上枠１２０は、この上枠ベース材１３０の表面（下面）に対して取り付けられる。なお、上枠ベース材１３０を既設上枠１１０に対して取り付けるための具体的構造については後述する。
【００２２】
下枠２００は、既設下枠２１０と、新設下枠２２０と、下枠ベース材２３０と、を含んで構成される。
【００２３】
既設下枠２１０は、建物の開口部の下側部に取り付けられており、上方に向けて立設される既設障子用のガイドレール２１１ａ、２１１ｂと、既設下枠２１０の屋外側の端部に、上下方向に延びる屋外側壁部２１２と、を有する。既設下枠２１０の屋内側は、額縁部材５００に固定されている。
【００２４】
新設下枠２２０は、下枠ベース材２３０を挟んで、既設下枠２１０の内周側に取り付けられる。新設下枠２２０は、上方に向けて立設される引違いの２枚の障子２０、２０用のガイドレール２２１ａ、２２１ｂと、網戸３０用のガイドレール２２１ｃとを有する。ガイドレール２２１ａ、２２１ｂには、障子２０の下端部が係合している。ガイドレール２２１ｃには、網戸３０の下端部が係合している。
【００２５】
新設下枠２２０は、屋外側の端部に、下方に向けて延びる屋外側壁部２２２を有する。屋外側壁部２２２は、既設下枠２１０の屋外側壁部２１２と略平行に延びており、屋外側壁部２１２の屋外側を覆い隠すように配置されている。
【００２６】
新設下枠２２０は、取付けねじ２２３によって下枠ベース材２３０に固定される。取付けねじ２２３は、新設下枠２２０から下枠ベース材２３０を貫通しているが、既設下枠２１０は貫通していない。
【００２７】
下枠ベース材２３０は、既設下枠２１０の内周側に配置され、既設下枠２１０と新設下枠２２０との間に介在される。下枠ベース材２３０は、２枚の障子２０、２０の荷重を受けるため、下枠２００の長さ方向に亘って延びる金属製の板状部材からなる。下枠ベース材２３０の屋外側は、既設下枠２１０の屋外側のガイドレール２１１ａ上に載置され、屋内側は、ブラケット２３１によって既設下枠２１０の屋内側のガイドレール２１１ｂに取り付けられている。これにより、下枠ベース材２３０は、既設下枠２１０の内周側（上側）に、新設下枠２２０のための略平坦な取付け面を形成する。新設下枠２２０は、この下枠ベース材２３０の表面（上面）に対して取り付けられる。
【００２８】
図３に示すように、左右の縦枠３００、４００は、既設縦枠３１０、４１０と、新設縦枠３２０、４２０と、縦枠ベース材３３０、４３０と、を含んで構成される。
【００２９】
既設縦枠３１０、４１０は、建物の開口部２の屋外側の左右縦側部にそれぞれ取り付けられている。既設縦枠３１０、４１０は、図６、図７に示すように、内側に向けて突出する複数のフィン３１１ａ、３１１ｂ、４１１ａ、４１１ｂ、４１１ｃを有する。既設縦枠３１０、４１０の屋内側は、額縁部材５００に固定されている。
【００３０】
新設縦枠３２０、４２０は、縦枠ベース材３３０、４３０を間に挟んで、既設縦枠３１０、４１０の内周側に取り付けられる。新設縦枠３２０、４２０は、屋外側の端部に、左右の外側方に向けて延びる屋外側壁部３２１、４２１を有する。屋外側壁部３２１、４２１は、既設縦枠３１０、４１０の屋外側を覆い隠すように配置されている。
【００３１】
新設縦枠３２０、４２０は、スペーサ部材３４０、４４０を介して、取付けねじ３２２、４２２によって縦枠ベース材３３０、４３０に固定される。取付けねじ３２２、４２２は、新設縦枠３２０、４２０からスペーサ部材３４０、４４０及び縦枠ベース材３３０、４３０を貫通しているが、既設縦枠３１０、４１０は貫通していない。
【００３２】
縦枠ベース材３３０、４３０は、既設縦枠３１０、４１０の内周側に配置され、既設縦枠３１０、４１０と新設縦枠３２０、４２０との間に介在される。縦枠ベース材３３０、４３０は、それぞれ新設縦枠３２０、４２０の長さに比べて十分に短い長さに形成された金属製の板状部材からなる。縦枠ベース材３３０、４３０は、既設縦枠３１０、４１０の長さ方向に間隔をおいて、既設縦枠３１０、４１０の内周側に複数取り付けられる。これにより、各縦枠ベース材３３０、４３０は、既設縦枠３１０、４１０の内周側に、新設縦枠３２０、４２０のための略平坦な取付け面を形成する。新設縦枠３２０、４２０は、この縦枠ベース材３３０、４３０の表面に対して取り付けられる。
【００３３】
縦枠ベース材３３０、４３０の取付け構造について更に説明する。
先ず、縦枠ベース材３３０、４３０の屋外側は、既設縦枠３１０、４１０に設けられた最も屋外側のフィン３１１ａ、４１１ａを利用して既設縦枠３１０、４１０に取り付けられる。即ち、縦枠ベース材３３０、４３０の屋外側の裏面には、これらのフィン３１１ａ、４１１ａを挟むように平行に立設される一対の取付け片３３１、４３１を有する。
【００３４】
取付け片３３１、４３１の間には、フィン３１１ａ、４１１ａを挟んだ状態で、縦枠ベース材３３０、４３０の表面側から、フィン３１１ａ、４１１ａ及び取付け片３３１、４３１の立設方向に沿って取付けねじ３３２、４３２がねじ込まれている。これにより、取付け片３３１、４３１（本実施形態では取付け片３３１、４３１の屋外側の取付け片の内面）と取付けねじ３３２、４３２との間でフィン３１１ａ、４１１ａが挟持され、縦枠ベース材３３０、４３０の屋外側が既設縦枠３１０、４１０に固定される。
【００３５】
一方、縦枠ベース材３３０、４３０の屋内側は、ブラケット３３３、４３３によって既設縦枠３１０、４１０の内周面に固定される。
【００３６】
以上の構成を備える窓枠１０は、上枠１００、下枠２００及び左右の縦枠３００、４００により矩形に枠組みされる。これにより、改装サッシ１の新設枠（新設上枠１２０、新設下枠２２０及び新設縦枠３２０、４２０）は、各ベース材１３０、２３０、３３０、４３０を介して、既設枠（既設上枠１１０、既設下枠２１０及び既設縦枠３１０、４１０）の内周側を覆うように取り付けられる。
【００３７】
本実施形態に示す窓枠１０において、新設上枠１２０、新設下枠２２０及び新設縦枠３２０、４２０は、アルミ等の金属材からなるが、これら新設上枠１２０、新設下枠２２０及び新設縦枠３２０、４２０の屋内側に、それぞれ樹脂アングル部材１５０、２５０、３５０、４５０を有する。これにより、窓枠１０は断熱性を有する。
【００３８】
樹脂アングル部材１５０、２５０、３５０、４５０は、それぞれ額縁部材５００との間に間隔を有して配置され、それぞれアングルカバー１５１、２５１、３５１、４５１が装着されている。また、アングルカバー１５１、２５１、３５１、４５１と額縁部材５００の内周面５００ａとの境目は、額縁部材５００に固定されるＬ型の見切り材１５２、２５２、３５２、４５２によって遮蔽されている。
【００３９】
次に、上枠ベース材１３０を既設上枠１１０に対して取り付けるための具体的構造について、図４、図８、図９を参照して説明する。図８は、上枠ベース材１３０を下から見上げた状態を示す底面図であり、図９は、図８のＡ−Ａ線に沿って上枠ベース材１３０を分解して示す断面図である。図４に示すように、上枠ベース材１３０は、既設上枠１１０の内周側を屋内外方向に亘って覆うベース材本体１３１と、ベース材本体１３１の裏面（既設上枠１１０側の面）にベース材本体１３１と別体に設けられる取付け部材１３２と、を有する。
【００４０】
図９に示すように、ベース材本体１３１は、ベース材本体１３１の屋外側の端部から既設上枠１１０に向けて立ち上がる立ち上り片１３１ａを一体に有する。立ち上り片１３１ａの上端には、屋内側に向けてベース材本体１３１と略平行に延び、取付け部材１３２が取り付けられる取付け片１３１ｂを一体に有する。また、ベース材本体１３１には、取付け部材１３２をねじ留めするための屋内外方向に長い一対の長穴１３１ｆを有する。
【００４１】
取付け片１３１ｂの幅（屋内外方向の長さ）は、既設上枠１１０のガイドレール１１１ａ、１１１ｂ間の幅よりも小さく形成されている。取付け片１３１ｂには、屋内外方向に長い長穴１３１ｃが形成されている。
【００４２】
立ち上り片１３１ａの途中には、屋外側に向けてＬ型に張り出す溝部１３１ｄを有する。溝部１３１ｄは、上方（既設上枠１１０側）に向けて開放する形状を有し、図４に示すように、既設上枠１１０の屋外側のガイドレール１１１ａの下端部を収容し得るように形成されている。
【００４３】
取付け片１３１ｂと溝部１３１ｄとの連結部位は、溝部１３１ｄから取付け片１３１ｂにかけて屋内側に向けて斜めに傾斜している。この連結部位には、ベース材本体１３１を既設上枠１１０の屋外側のガイドレール１１１ａに対して屋内側から斜め上方に向けてねじ留めするためのねじ穴１３１ｅが形成されている。
【００４４】
なお、図８に示すように、ベース材本体１３１において、溝部１３１ｄから上側の部位は、ベース材本体１３１の長さ（図８の上下方向の長さ）よりも長尺に形成されており、ベース材本体１３１の長さ方向の両端部からそれぞれ張り出している。長穴１３１ｃ及びねじ穴１３１ｅは、ベース材本体１３１の両端部から張り出した部位にそれぞれ配置されている。
【００４５】
取付け部材１３２は、ベース材本体１３１の立ち上り片１３１ａよりも屋内側に配置される。ベース材本体１３１の裏面に取り付けられる脚部１３２ａと、脚部１３２ａの上端部から屋外側に向けて、ベース材本体１３１の取付け片１３１ｂと略平行に延びる取付け板部１３２ｂと、を有する。
【００４６】
脚部１３２ａの下端部は屋内側に向けて延び、ベース材本体１３１の裏面に当接する当接部１３２ｃを一体に有する。当接部１３２ｃには、ベース材本体１３１に形成される各長穴１３１ｆに一致する位置に、それぞれねじ穴１３２ｄが形成されている。
【００４７】
取付け板部１３２ｂの幅（屋内外方向の長さ）は、既設上枠１１０のガイドレール１１１ａ、１１１ｂ間の幅よりも小さく形成されている。取付け板部１３２ｂには、ベース材本体１３１の取付け片１３１ｂの長穴１３１ｃに対応するように、ねじ穴１３２ｅが形成されている。
【００４８】
取付け部材１３２は、既設上枠１１０の屋内側のガイドレール１１１ｂを屋内側及び屋外側から挟むように配置される屋内側挟持片１３２ｆと屋外側挟持片１３２ｇとを有する。
【００４９】
屋内側挟持片１３２ｆは、脚部１３２ａの途中から屋内側にＬ型に張り出すように配置され、既設上枠１１０のガイドレール１１１ｂの立設方向に沿って上方（既設上枠１１０側）に向けて延びている。これにより、脚部１３２ａの屋内側に、上方に向けて開放する形状の溝が形成される。屋内側挟持片１３２ｆの下端部と脚部１３２ａとを接続する溝底部１３２ｈには、ねじ穴１３２ｉが形成されている。
【００５０】
屋外側挟持片１３２ｇは、取付け板部１３２ｂの屋内側の端部から、既設上枠１１０のガイドレール１１１ｂの立設方向に沿って上方（既設上枠１１０側）に向けて延びている。本実施形態では、取付け部材１３２の脚部１３２ａと取付け板部１３２ｂとの連結部位は、脚部１３２ａから取付け板部１３２ｂにかけて屋外側に向けて斜めに傾斜しているが、屋外側挟持片１３２ｇの屋内側の側面は、脚部１３２ａの屋内側の側面と同一面とされている。従って、屋外側挟持片１３２ｇは、脚部１３２ａから一体に連続して延びるように形成されてもよい。屋外側挟持片１３２ｇが、脚部１３２ａから一体に連続して延びるように形成される場合は、必ずしも取付け板部１３２ｂから上方に突出していなくてもよい。
【００５１】
なお、図８に示すように、取付け部材１３２において、屋内側挟持片１３２ｆから上側の部位は、ベース材本体１３１の長さ（図８の上下方向の長さ）よりも長尺に形成されており、ベース材本体１３１の長さ方向の両端部からそれぞれ張り出している。ねじ穴１３２ｅ、１３２ｉは、ベース材本体１３１の両端部から張り出した部位にそれぞれ配置されている。
【００５２】
かかる構成を有する上枠ベース材１３０を既設上枠１１０に取り付ける際は、先ず、取付け部材１３２が既設上枠１１０に取り付けられる。具体的には、取付け部材１３２の取付け板部１３２ｂが、既設上枠１１０のガイドレール１１１ａ、１１１ｂの間に挿入されると共に、屋内側挟持片１３２ｆと屋外側挟持片１３２ｇとの間に既設上枠１１０の屋内側のガイドレール１１１ｂの下端部が挟まれるように収容される。このとき、ガイドレール１１１ｂは、屋外側挟持片１３２ｇと接するように配置されている。この状態で、溝底部１３２ｈのねじ穴１３２ｉに対して、図４に示すように、略垂直方向の下方から取付けねじ１３３ａがねじ込まれる。
【００５３】
ここで、屋内側挟持片１３２ｆと屋外側挟持片１３２ｇとの間隔は、ガイドレール１１１ｂの厚みと取付けねじ１３３ａのねじ山部分の外径とを足した寸法よりも僅かに狭く設定されている。従って、取付けねじ１３３ａがガイドレール１１１ｂと屋内側挟持片１３２ｆとの間にねじ込まれると、ガイドレール１１１ｂは、屋外側挟持片１３２ｇと取付けねじ１３３ａとの間で挟着される。このとき、取付けねじ１３３ａのねじ山は、ガイドレール１１１ｂと屋内側挟持片１３２ｆにそれぞれ食い込むので、取付けねじ１３３ａが抜け落ちることはなく、取付け部材１３２をガイドレール１１１ｂにしっかりと固定することができる。
【００５４】
また、この取付けねじ１３３ａは、ねじ穴１３２ｉに対して、ガイドレール１１１ｂの立設方向に沿って、下方から略垂直上向きにねじ込むことができるため、従来のように額縁部材５００等が取り付けの支障となることはなく、取付け部材１３２を屋内側から容易に取り付けることができる。
【００５５】
このようにして取付け部材１３２が既設上枠１１０に取り付けられた後、既設上枠１１０の屋外側のガイドレール１１１ａに対してベース材本体１３１が取り付けられる。具体的には、ベース材本体１３１の取付け片１３１ｂが、既設上枠１１０のガイドレール１１１ａ、１１１ｂの間に挿入される。取付け片１３１ｂが取付け部材１３２の取付け板部１３２ｂと重ねられると共に、ベース材本体１３１が、取付け部材１３２の脚部１３２ａの当接部１３２ｃと当接する。このとき、溝部１３１ｄ内に、既設上枠１１０の屋外側のガイドレール１１１ａの下端部が収容される。
【００５６】
この状態で、屋内側から斜め上方に向けてベース材本体１３１のねじ穴１３１ｅに取付けねじ１３３ｂが挿入される。取付けねじ１３３ｂは、溝部１３１ｄに収容されるガイドレール１１１ｂに対してねじ込まれる。これにより、ベース材本体１３１の屋外側がガイドレール１１１ｂに固定される。
【００５７】
次いで、図４に示すように、重ねられた取付け片１３１ｂの長穴１３１ｃと取付け板部１３２ｂのねじ穴１３２ｅとに亘って、取付けねじ１３３ｃがねじ込まれ、ベース材本体１３１と取付け部材１３２とが固定される。また、ベース材本体１３１の長穴１３１ｆと取付け部材１３２のねじ穴１３２ｄとに亘って、取付けねじ１３３ｄがねじ込まれ、ベース材本体１３１と取付け部材１３２とが固定される。更に、ベース材本体１３１の屋内側の端部に形成されたねじ穴１３１ｇに、取付けねじ１３３ｅがねじ込まれ、額縁部材５００に固定される。これにより、上枠ベース材１３０が既設上枠１１０に取り付けられる。
【００５８】
本実施形態では、上枠ベース材１３０は、既設上枠１１０の既設障子用のガイドレール１１１ａ、１１１ｂを利用して取り付けられるように構成されている。これにより、既設障子用のガイドレール１１１ａ、１１１ｂをそのまま利用して、上枠ベース材１３０を容易に取り付けることができるが、上枠ベース材１３０が取り付けられる部位は、既設上枠１１０から下方に向けて立設される立壁部であればよく、既設障子用のガイドレールに限定されない。
【００５９】
また、本実施形態では、開口部２の屋外側に配置される外付けタイプの窓枠１０を例示したが、本発明における窓枠は必ずしも外付けタイプに限定されない。
【符号の説明】
【００６０】
１  改装サッシ
２  開口部
１１０  既設上枠
１１１ａ、１１１ｂ  ガイドレール（立壁部）
１２０  新設上枠
１３０  上枠ベース材（ベース材）
１３２  取付け部材
１３２ｆ  屋内側挟持片
１３２ｇ  屋外側挟持片
１３３ａ  取付けねじ
【図１】
2019152003.tif 000003
【図２】
2019152003.tif 000004
【図３】
2019152003.tif 000005
【図４】
2019152003.tif 000006
【図５】
2019152003.tif 000007
【図６】
2019152003.tif 000008
【図７】
2019152003.tif 000009
【図８】
2019152003.tif 000010
【図９】
2019152003.tif 000011
【図１０】
2019152003.tif 000012